(57)【要約】【課題】通信端末機におけるブックマークサービス提供方法及び装置を提供すること。【解決手段】前記通信端末機におけるブックマークサービス提供方法は、ウェブサイトに接続する過程と、接続したウェブサイトにファビコンが存在しているか否かを検査する過程と、前記ウェブサイトにファビコンが存在すると、該当ファビコンを前記ウェブサイトのブックマークとして設定する過程とを含む。【選択図】図８
2011123897.tif 000002
【特許請求の範囲】
【請求項１】
通信端末機におけるブックマークサービス提供方法であって、
ウェブサイトに接続する過程と、
接続したウェブサイトにファビコンが存在しているか否かを検査する過程と、
前記ウェブサイトにファビコンが存在すると、該当ファビコンを前記ウェブサイトのブックマークとして設定する過程とを有することを特徴とする方法。
【請求項２】
前記ウェブサイトにファビコンが存在しないと、既保存されたアイコンのうちの何れか一つのアイコンを選択して前記ウェブサイトのブックマークとして設定する過程をさらに含むことを特徴とする請求項１に記載の方法。
【請求項３】
前記ファビコンは、前記ウェブサイトサーバのルートとウェブサイトのメタデータのうち、少なくとも一つを利用して獲得し、
前記メタデータは、ウェブサイトのＵＲＬ、ファビコン及びその他ＨＴＭＬフィールド情報のうち、少なくとも一つを含むことを特徴とする請求項１に記載の方法。
【請求項４】
前記ファビコンが存在すると、該当ファビコンに対してイメージ効果を適用する過程をさらに含み、
前記イメージ効果は、ベクトル化、平坦化、回転、色相調節、明るさ調節、サイズ調節、影効果、フレーム追加のうち、少なくとも一つを含むことを特徴とする請求項１に記載の方法。
【請求項５】
前記ウェブサイトに接続する際、前記ウェブサイト接続に関連した情報を獲得する過程と、
前記接続関連情報を前記ウェブサイトのブックマークにマッピングして保存する過程と、
ウェブサイト別ブックマークがディスプレイされた状態で特定ブックマークがタッピング又はドラッグされると、前記特定ブックマークにマッピングされた接続関連情報をディスプレイする過程とをさらに含むことを特徴とする請求項１に記載の方法。
【請求項６】
前記接続関連情報は、ウェブサイトＵＲＬ、最後の接続時刻、ロード時間、ロード速度、ロードデータ及びウェブサイトイメージのうち、少なくとも一つを含むことを特徴とする請求項５に記載の方法。
【請求項７】
前記ブックマークがタッピング又はドラッグされると、該当ウェブサイトからロードするデータの種類を設定するウィンドウをディスプレイする過程と、
ユーザから前記ロードするデータの種類が設定される過程と、をさらに含むことを特徴とする請求項５に記載の方法。
【請求項８】
ウェブサイト別ブックマークがディスプレイされた状態で、画面ディスプレイ比率制御イベントが発生すると、画面ディスプレイ比率に応じて前記ブックマークを含む画面に対する拡大及び縮小のうち、少なくとも一つを行う過程と、
前記画面ディスプレイ比率が臨界値を超過する場合、前記画面において前記ブックマークの代わりに該当ウェブサイトのイメージをディスプレイする過程と、をさらに含むことを特徴とする請求項５に記載の方法。
【請求項９】
通信端末機におけるブックマークサービス提供装置であって、
ウェブサイトに接続される際、接続されたウェブサイトにファビコンが存在しているか否かを検査し、前記ウェブサイトにファビコンが存在すると、該当ファビコンを前記ウェブサイトのブックマークとして設定する制御部を有することを特徴とする装置。
【請求項１０】
前記制御部は、前記ウェブサイトにファビコンが存在しないと、既保存されたアイコンのうち、何れか一つのアイコンを選択して、前記ウェブサイトのブックマークとして設定することを特徴とする請求項９に記載の装置。
【請求項１１】
前記制御部は、前記ウェブサイトサーバのルートとウェブサイトのメタデータのうち、少なくとも一つを利用して前記ファビコンを獲得し、
前記メタデータは、ウェブサイトのＵＲＬ、ファビコン及びその他ＨＴＭＬフィールド情報のうち、少なくとも一つを含むことを特徴とする請求項９に記載の装置。
【請求項１２】
前記制御部は、前記ファビコンが存在すると、該当ファビコンに対してイメージ効果を適用し、
前記イメージ効果は、ベクトル化、平坦化、回転、色相調節、明るさ調節、サイズ調節、影効果、フレーム追加のうち、少なくとも一つを含むことを特徴とする請求項９に記載の装置。
【請求項１３】
前記制御部は、前記ウェブサイトに接続する際、前記ウェブサイト接続に関連した情報を獲得し、
前記獲得した接続関連情報を前記ウェブサイトのブックマークにマッピングして保存する保存部と、
前記ウェブサイト別ブックマークがディスプレイされた状態で、特定ブックマークがタッピング又はドラッグされると、前記特定ブックマークにマッピングされた接続関連情報をディスプレイする表示部とをさらに備えることを特徴とする請求項９に記載の装置。
【請求項１４】
前記接続関連情報は、ウェブサイトＵＲＬ、最後の接続時刻、ロード時間、ロード速度、ロードデータ及びウェブサイトイメージのうち、少なくとも一つを含むことを特徴とする請求項１３に記載の装置。
【請求項１５】
前記制御部は、前記ブックマークがタッピング又はドラッグされると、該当ウェブサイトからロードするデータの種類を設定するウィンドウを前記表示部にディスプレイして、ユーザから前記ロードするデータの種類が設定されることを特徴とする請求項１３に記載の装置。
【請求項１６】
前記制御部は、ウェブサイト別ブックマークがディスプレイされた状態で画面ディスプレイ比率制御イベントが発生すると、画面ディスプレイ比率に応じて前記ブックマークを含む画面を拡大及び縮小のうち、少なくとも一つを行い、前記画面ディスプレイ比率が臨界値を超過する場合、前記画面において前記ブックマークの代わりに該当ウェブサイトのイメージがディスプレイされるように制御することを特徴とする請求項１３に記載の装置。
【発明の詳細な説明】
【技術分野】
【０００１】
本発明は、通信端末機に関し、より詳細には、前記通信端末機におけるブックマークサービス提供方法及び装置に関する。
【背景技術】
【０００２】
最近では、電子通信技術の急速な発達によって有線通信網及び無線通信網の適用範囲が順次広くなっている。例えば、コンピュータはもちろん、携帯用個人情報端末機（Ｐｅｒｓｏｎａｌ  Ｄｉｇｉｔａｌ  Ａｓｓｉｓｔａｎｔｓ）や携帯電話などでも有線又は無線を介したインターネット接続機能を提供している。
前記インターネット接続機能を提供する端末機（以下、通信端末機と称する）では、ユーザの望むウェブサイトへの接続を容易にするための多様な技法が提供されている。例えば、ブックマーク、ＵＲＬ入力、基本ページ、壁紙、視覚的なブックマークなどを利用して望むウェブサイトに接続する技法が提供されている。
【０００３】
前記ブックマークを利用した技法は、図１に示すように、望むウェブサイトのアドレスを前記通信端末機に予め登録しておいた後、登録しておいたアドレスを介して望むウェブサイトに直接接続する技法であって、ウェブサイトの特性によってフォルダ別に分類できるという長所があるが、アドレス又は簡略な説明で該当ウェブサイトを表すため直観的でないという短所がある。
【０００４】
前記ＵＲＬ入力技法は、図２に示すように、ユーザの望むウェブサイトのＵＲＬを入力ウィンドウに集積入力する技法であって、ＵＲＬを知っているウェブサイトには直接接続できるが、キーパッド、キーボード及びタッチパッドのような入力装置を介して前記ＵＲＬをいちいち入力しなければならないという面倒さがある。
【０００５】
前記基本ページを利用した技法は、図３に示すように、通信端末機で特定ウェブサイトを基本ページとして登録しておいた後、ウェブブラウザに進入する際、前記基本ページに設定されたウェブサイトに接続する技法である。前記基本ページを利用した技法は、ウェブブラウザに進入するやいなや別途の操作を行わずに、前記基本ページに接続するから最短時間内に前記基本ページへの接続が可能であるが、ユーザが前記基本ページとして指定されたウェブサイトに接続することを望まない場合、不必要なトラフィック費用を負担しなければならないという問題がある。
【０００６】
前記壁紙を利用した技法は、図４に示すように、前記通信端末機の壁紙から提供されるアイコンを介してウェブサイトに接続する技法である、前記壁紙を利用した技法は、ウェブサイトへの接続が容易であるが、ウェブサイトを表すアイコンが固定されることによって、ウェブサイトの特性を表すことができないか、又はユーザの趣向に応じて変更し難いという短所がある。
【０００７】
前記視覚的ブックマーク技法は、図５に示すように、ウェブサイトを予め見せるブックマークを利用して望むウェブサイトに接続する技法であって、視覚的な効果に優れているが、ロゴが小さなウェブサイトの場合には、ユーザが該当ロゴを分別し難くて可読性が低下し、ウェブサイトの画面を予めキャプチャーして予め保存しなければならないので、前記通信端末機のメモリ容量の側面及び処理性能の側面で問題が発生し、画面をロードする速度と可動性の問題によって、一画面に表示できるウェブサイトの数が少ないという短所がある。
【０００８】
上述したように、従来の通信端末機から提供するウェブサイト接続技法は、可読性、ウェブサイトの接続容易性及び通信端末機の性能面において短所を有している。したがって、前記のような短所を最小化し、かつユーザの多様な欲求を満たし、望むウェブサイトへの接続を容易にする技法が提供される必要がある。
【先行技術文献】
【特許文献】
【０００９】
【特許文献１】大韓民国特許出願公開第２００４−００３３６９２号明細書
【発明の概要】
【発明が解決しようとする課題】
【００１０】
そこで、本発明は、上記通信端末機の問題点に鑑みてなされたものであって、本発明の目的は、通信端末機におけるブックマークサービス提供方法及び装置を提供することにある。
【００１１】
本発明の他の目的は、通信端末機におけるウェブサイト別に提供するファビコンをブックマークとして設定する方法及び装置を提供することにある。
【００１２】
本発明のさらに他の目的は、通信端末機におけるブックマークを介してウェブサイト接続情報を表すための方法及び装置を提供することにある。
【００１３】
本発明のさらに他の目的は、通信端末機におけるブックマークにイメージ効果を付与するための方法及び装置を提供することにある。
【課題を解決するための手段】
【００１４】
上記目的を達成するためになされた本発明による、通信端末機におけるブックマークサービス提供方法は、ウェブサイトに接続する過程と、接続したウェブサイトにファビコンが存在しているか否かを検査する過程と、前記ウェブサイトにファビコンが存在すると、該当ファビコンを前記ウェブサイトのブックマークとして設定する過程とを含むことを特徴とする。
【００１５】
また、上記の目的を達成するためになされた本発明による、通信端末機におけるブックマークサービス提供装置は、ウェブサイトに接続される際、接続されたウェブサイトにファビコンが存在しているか否かを検査し、前記ウェブサイトにファビコンが存在すると、該当ファビコンを前記ウェブサイトのブックマークとして設定する制御部を備えることを特徴とする。
【発明の効果】
【００１６】
本発明は、通信端末機におけるウェブサイト別に提供するファビコンをブックマークとして設定し、前記ブックマークにイメージ効果を付与して、前記ブックマークを介してウェブサイト接続情報を表すことによって、ユーザは、各々のブックマークが表すウェブサイトを容易に分かり、ユーザ個々人に対する満足度を高めることができ、該当ウェブサイトに対してより多くの情報を伝達できるという効果がある。
【図面の簡単な説明】
【００１７】
【図１】従来の技術に係る通信端末機におけるブックマーク利用技法を示す図である。
【図２】従来の技術に係る通信端末機におけるＵＲＬ入力技法を示す図である。
【図３】従来の技術に係る通信端末機における基本ページ利用技法を示す図である。
【図４】従来の技術に係る通信端末機における壁紙利用技法を示す図である。
【図５】従来の技術に係る通信端末機における視覚的なブックマーク利用技法を示す図である。
【図６】ウェブ国際標準に従ってファビコンを提供するウェブサイト画面を示す図である。
【図７】本発明に係る通信端末機のブロック構成を示す図である。
【図８】本発明の実施の形態に係る通信端末機におけるブックマークを設定する操作手順を示す図である。
【図９】本発明の実施の形態に係る通信端末機におけるブックマークを介してウェブサイト接続情報を表す操作手順を示す図である。
【図１０】本発明の実施の形態に係る通信端末機におけるウェブサイトからファビコンを獲得する画面を示す図である。
【図１１】本発明の実施の形態に係る通信端末機におけるＩＣＯフォーマットファイルからファビコンを獲得する画面を示す図である。
【図１２】本発明の実施の形態に係る通信端末機におけるファビコンイメージを平坦に処理する画面を示す図である。
【図１３】本発明の実施の形態に係る通信端末機におけるイメージ平坦化を適用したブックマークディスプレイ画面を示す図である。
【図１４】本発明の実施の形態に係る通信端末機におけるブックマークにイメージ効果を付与する画面を示す図である。
【図１５】本発明の実施の形態に係る通信端末機におけるブックマークを介してウェブサイト接続情報を表す画面を示す図である。
【図１６】本発明の実施の形態に係る通信端末機におけるブックマークを介してウェブサイトロード情報を表す画面を示す図である。
【図１７】本発明の実施の形態に係る通信端末機におけるブックマークを介してウェブサイトロード情報を表すための多様な方式を示す図である。
【図１８】本発明の実施の形態に係る通信端末機におけるブックマーク拡大／縮小方式を示す図である。
【図１９】本発明の実施の形態に係る通信端末機におけるブックマークディスプレイ方式を示す図である。
【発明を実施するための形態】
【００１８】
次に、本発明に係る通信端末機を実施するための形態の具体例を図面を参照ながら説明する。そして、本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００１９】
以下、本発明では、通信端末機におけるウェブサイト別に提供するファビコン（ｆａｖｉｃｏｎ）をブックマークとして設定し、前記ブックマークにイメージ効果を付与して、前記ブックマークを介してウェブサイト接続情報を表すための技法について説明する。ここで、前記ファビコンは、ウェブサイトを表すアイコンを意味するもので、図６に示すように、大部分のウェブサイトでは、ウェブ国際標準に従ってファビコンを含むメタデータを提供している。
【００２０】
図７は、本発明に係る通信端末機のブロック構成を示している。
【００２１】
図７に示すように、前記通信端末機は、制御部７００、通信モジュール７１０、表示部７２０、入力部７３０及び保存部７４０を備えて構成され、前記制御部７００は、ブックマーク管理部７０２を備え、前記保存部７４０は、ファビコン保存部７４２を備えて構成される。
【００２２】
前記制御部７００は、前記通信端末機の全般的な操作のための制御及び処理を行い、特にブックマーク管理部７０２を備えることによって、ウェブサイト別に提供するファビコンをブックマークとして設定し、前記ブックマークにイメージ効果を付与し、前記ブックマークを介してウェブサイト接続情報を表すための機能を制御及び処理する。
【００２３】
すなわち、前記ブックマーク管理部７０２は、ウェブサイト接続イベントが発生すると、前記通信モジュール７１０を制御して該当ウェブサイトからメタデータを獲得し、前記メタデータからファビコンを獲得した後、該獲得したファビコンを前記ウェブサイトのブックマークとして設定して前記保存部７４０に保存する。ここで、前記メタデータは、前記ウェブサイトのＵＲＬ、ファビコン及びその他ＨＴＭＬフィールド情報を含む。一般に、前記ファビコンは、サーバのルート（ｒｏｏｔ）に位置するか、又はその他の場合、ＨＴＭＬ文書にその位置が明示されているので、前記ブックマーク管理部７０２は、前記サーバのルート又は前記ＨＴＭＬ文書に明示された位置を介して前記ファビコンを獲得することができる。例えば、前記ブックマーク管理部７０２は、図１０（ａ）に示すように、特定ウェブサイトに接続されると、図１０（ｂ）に示すようなＨＴＭＬ文書からファビコンの位置を把握した後、前記位置でファビコンを獲得して、図１０（ｃ）に示すように、ウェブサイト別にファビコンを保存することができる。ここで、前記ブックマーク管理部７０２は、前記獲得したファビコンがｉｃｏフォーマットである場合、前記ｉｃｏフォーマットのファビコンを分析して一つのイメージのみを抽出し、該抽出したイメージをブックマークとして設定する。すなわち、前記ｉｃｏフォーマットは、図１１に示すように、一つのファイル内に互いに異なるサイズ及びカラー値を有するイメージ１１１０、１１２０を備えることができるので、前記ブックマーク管理部７０２は、前記互いに異なるイメージ１１１０、１１２０のうち、何れか一つのイメージを選択してブックマークとして設定する。例えば、前記ブックマーク管理部７０２は、サイズが最も大きく、カラー値が最も高いイメージ１１２０をブックマークとして決定できる。ここで、前記ブックマーク管理部７０２は、該当ウェブサイトにファビコンが存在しない場合、前記保存部７４０に予め保存されたアイコンを利用して、ファビコンイメージを決定することもできる。
【００２４】
また、前記ブックマーク管理部７０２は、前記ファビコンに対してベクトル化を行い、イメージ効果を適用できる。これは、一般にイメージをベクトルフォーマットに変換すると、解像度を維持しつつ望むサイズに調節できるという効果により、前記ファビコンを拡大する際に前記ファビコンが割れるのを防止するためである。また、前記ブックマーク管理部７０２は、前記ファビコンを平坦化（ｓｍｏｏｔｈ）処理できる。例えば、ピクセル数の少ないファビコンは、前記ベクトル化を行っても拡大時に滑らかに表現されない場合があるので、図１２に示すように、平坦化処理を行うことができる。もちろん、ここで、前記ブックマーク管理部７０２は、図１３に示すように、状況及び設定に応じて前記ファビコンに対する平坦化処理を１次のみ行うこともでき、１次と２次の両方を行うこともできる。
【００２５】
また、前記ブックマーク管理部７０２は、前記ファビコンに他のイメージ効果を適用することもできる。ここで、前記イメージ効果は、前記平坦化処理だけでなく一般的なイメージの編集時に提供される効果、例えば、回転、色相調節、明るさ調節、サイズ調節、影効果、フレーム追加などの効果をすべて含む。例えば、前記ブックマーク管理部７０２は、図１４に示すように、前記ファビコンに切手スタイル、ＣＤケーススタイル又は本スタイルのフレームを追加できる。
【００２６】
また、前記ブックマーク管理部７０２は、前記ウェブサイトの接続の際、前記通信モジュール７１０を制御してウェブサイト接続に関する情報、例えば、ＵＲＬ、最後の接続時刻、接続にかかる時間（ロード時間）、ロード速度及びロードデータに対する情報を測定した後、前記測定されたウェブサイト接続に関する情報を前記接続したウェブサイトのファビコン、すなわち、ブックマークにマッピングさせて保存するための機能を制御及び処理する。
【００２７】
前記ブックマーク管理部７０２は、ブックマークディスプレイの際、ユーザ操作によって特定ブックマークにマッピングされた接続情報をディスプレイするための機能を制御及び処理する。例えば、図１５に示すように、複数のブックマークがディスプレイされた状態で、ユーザが特定ブックマークを軽くタッピング（ｔａｐｐｉｎｇ）するか、所定時間以上タッピングするか、ダブルタッピングする場合、前記ブックマーク管理部７０２は、ポップアップウィンドウを介して前記特定ブックマークにマッピングされたウェブサイト接続情報をディスプレイするように制御する。このとき、前記ブックマーク管理部７０２は、前記ポップアップウィンドウを介して該当ウェブサイトに接続する際、ロードするデータ種類に関する環境設定が可能なようにすることができる。例えば、前記図１５に示すように、ＣＳＳ、ＪａｖａＳｃｒｉｐｔ及びイメージなどのロード有無を設定できるようにする。もちろん、前記ポップアップウィンドウを介してディスプレイされる接続情報は、事業者又はユーザによって削除又は追加されることができる。また、前記ブックマーク管理部７０２は、ポップアップウィンドウを表示せずに、図１６に示すように、該当ブックマーク上段にロード時間を表す情報を表示するように制御できる。また、前記ブックマーク管理部７０２は、図１７に示すように、ブックマークをディスプレイする際、各々のブックマーク別にロード時間情報を表すようにすることができる。
【００２８】
また、前記ブックマーク管理部７０２は、画面ディスプレイ比率を制御するイベント、すなわち、画面拡大又は画面縮小イベントが発生する際、前記ブックマークを含む画面を拡大又は縮小させるための機能を制御し、このとき、前記画面ディスプレイ比率、すなわち、画面拡大程度が臨界値以上であるとき、前記ブックマークとして設定されたファビコンの代わりに、各々のブックマークに対応するウェブサイトのイメージをディスプレイするように制御する。このとき、前記ウェブサイトのイメージは、該当ウェブサイトの接続時に予め獲得したイメージでありうる。例えば、図１８に示すように、前記ブックマーク管理部７０２は、画面拡大イベントが発生する際、拡大程度に応じてブックマークを含む画面を拡大させている途中で前記拡大程度が臨界値以上になれば、前記ブックマークの代わりに前記ブックマークに対応するウェブサイトのイメージを含む画面をディスプレイ及び拡大する。このとき、前記ウェブサイトイメージを含む画面が拡大し続けて最大臨界値に至ると、前記画面でディスプレイ比重が最も大きなウェブサイトに接続するようにすることもできる。
【００２９】
また、前記ブックマーク管理部７０２は、ユーザ設定によって基本ウェブサイトを指定した後、図１９に示すように、基本ウェブサイトは、ファビコンではないウェブサイトイメージでディスプレイし、残りのウェブサイトは、ブックマークとして設定されたファビコンでディスプレイするように制御できる。
【００３０】
前記通信モジュール７１０は、前記制御部７００の制御に応じて有線又は無線でウェブサイトに接続し、該接続されたウェブサイトと送受信される信号を処理するための機能を行う。
【００３１】
前記表示部７２０は、前記通信端末機の操作中に発生する状態情報、数字、文字、静止画及び動画をディスプレイし、前記制御部７００の制御に応じてブックマークとして設定されたファビコンと対応するウェブサイト接続情報をディスプレイする。
【００３２】
前記入力部７３０は、少なくとも一つの入力キーとタッチセンサを含んでユーザが押さえるキー又はタッチする位置に対応するデータを前記制御部７００に提供する。
【００３３】
前記保存部７４０は、前記通信端末機の全般的な操作のための各種プログラム及びデータを保存し、前記ファビコン保存部７４２を含んで前記制御部７００の制御に応じてウェブサイト別にファビコンを保存する。また、前記ファビコン保存部７４２は、前記制御部７００の制御に応じて各々のウェブサイトから獲得したメタデータと前記各々のウェブサイトに最後に接続した時に獲得した接続情報を前記ファビコンにマッピングして保存する。ここで、前記接続情報は、ＵＲＬ、最後の接続時刻、接続にかかる時間（ロード時間）、ロード速度及びロードデータ、ウェブサイトイメージのうち、少なくとも一つを含む。
【００３４】
図８は、本発明の実施の形態に係る通信端末機におけるブックマークを設定する操作手順を示している。
【００３５】
前記図８に示すように、前記通信端末機は、ステップ８０１にてウェブサイトに接続されるか否かを感知する。このとき、前記ウェブサイトは、予め設定されたブックマークを利用するか、又はＵＲＬ入力を介して接続できる。
【００３６】
前記ウェブサイトに接続されると、前記通信端末機は、ステップ８０３にて該当ウェブサイトに対するブックマークが設定されているか否かを検査する。
【００３７】
万一、前記ウェブサイトに対するブックマークが設定されていないとき、すなわち、前記ウェブサイトに最初に接続すると判断された場合、前記通信端末機は、ステップ８０５に進んで前記ウェブサイトからメタデータを獲得して保存し、前記ウェブサイト接続情報を測定して保存する。ここで、前記メタデータは、前記ウェブサイトのＵＲＬ、ファビコン及びその他ＨＴＭＬフィールド情報を含み、前記ウェブサイト接続情報は、ＵＲＬ、最後の接続時刻、接続に必要な時間（ロード時間）、ロード速度、ロードデータ及びウェブサイトイメージを含む。
【００３８】
以後、前記通信端末機は、ステップ８０７にて前記獲得したメタデータに該当ウェブサイトに対するファビコンが存在しているか否かを検査する。前記ファビコンが存在する際、前記通信端末機は、ステップ８０９にて前記ファビコンがｉｃｏフォーマットであるか否かを検査する。万一、前記ファビコンがｉｃｏフォーマットでない場合、例えば、前記ファビコンがｊｐｇ、ｐｎｇ又はｇｉｆである場合、前記通信端末機は、下記のステップ８１１を行わず、下記のステップ８１３に進む。
【００３９】
これに対し、前記ファビコンがｉｃｏフォーマットである場合、前記通信端末機は、ステップ８１１にて前記ｉｃｏフォーマットのファビコンを分析して一つのイメージのみを抽出する。すなわち、ｉｃｏフォーマットのファイルは、前記図１１に示すように、一つのファイル内に互いに異なる大きさ及びカラー値を有するイメージ１１１０、１１２０を備えることができるので、前記通信端末機は、前記ファビコンがｉｃｏフォーマットである場合、ｉｃｏフォーマットのファビコンに含まれた互いに異なるイメージ１１１０、１１２０の中で一つのイメージを抽出する。例えば、前記通信端末機は、大きさが最も大きく、カラー値が最も高いイメージ１１２０を抽出することができる。
【００４０】
以後、前記通信端末機は、ステップ８１３にてファビコンイメージをベクトル化し、下記のステップ８１５に進む。ここで、前記ファビコンイメージをベクトル化することは、前記ファビコンイメージの拡大時にイメージが割れるのを防止するためである。
【００４１】
反面、前記通信端末機は、前記ステップ８０７の検査結果、前記メタデータに該当ウェブサイトに対するファビコンが存在しないとき、ステップ８１９に進んで既保存されたアイコンを推薦してファビコンイメージを決定した後、下記のステップ８１５に進む。例えば、前記通信端末機は、既保存されたアイコンを画面にディスプレイしてユーザから一つのアイコンを選択されて、該当ウェブサイトのファビコンイメージとして使用することを決定できる。また、前記通信端末機は、前記ユーザ選択過程を経ずに、既設定された基本アイコンを前記該当ウェブサイトのファビコンイメージとして使用することを決定することもできる。
【００４２】
前記通信端末機は、ステップ８１５にて前記ファビコンにイメージ効果を適用し、前記イメージ効果が適用されたファビコンを前記接続したウェブサイトのブックマークとして設定する。ここで、前記イメージ効果は、一般的なイメージの編集時に提供される効果、例えば、平坦化処理、回転、色相調節、明るさ調節、サイズ調節、影効果、フレーム追加などの効果をすべて含む。このとき、前記通信端末機は、前記ファビコンに複数のイメージ効果を適用することもでき、同じイメージ効果を重複適用することもできる。例えば、前記通信端末機は、図１２に示すように、前記ファビコンに対する平坦化を重複行うこともでき、状況及び設定に応じて前記ファビコンに対する平坦化処理を１次のみ行うこともでき、１次と２次の両方を行うこともできる。また、前記通信端末機は、図１４に示すように、前記１次平坦化を行ったファビコンに切手スタイル、ＣＤケーススタイル又は本スタイルのフレームを追加することもできる。
【００４３】
以後、前記通信端末機は、ステップ８１７にて前記ブックマークとして設定されたファビコンに前記ウェブサイト接続時に獲得した接続情報をマッピングして保存し、前記ブックマークを該当目録に追加した後、本発明に係るアルゴリズムを終了する。すなわち、前記通信端末機は、前記ブックマークをウェブサイト別ブックマークを含む目録のうち、少なくとも一つの目録に追加し、前記目録は、頻繁に接続する目録、ヒストリー目録、ブックマーク目録、お気に入り目録のうち、少なくとも一つを含む。
【００４４】
一方、前記ステップ８０３にて前記該当ウェブサイトに対するブックマークが設定されているとき、すなわち、前記ウェブサイトに以前に接続したことがある場合、前記通信端末機は、ステップ８２１に進んで前記ウェブサイト接続情報を測定して保存する。ここで、前記メタデータは、前記ウェブサイトのＵＲＬ、ファビコン及びその他ＨＴＭＬフィールド情報を含み、前記ウェブサイト接続情報は、ＵＲＬ、最後の接続時刻、接続に必要な時間（ロード時間）、ロード速度、ロードデータ及びウェブサイトイメージを含む。
【００４５】
以後、前記通信端末機は、ステップ８２３に進んで前記ウェブサイトのブックマークとして設定されたファビコンにマッピングされた接続情報を前記ステップ８２１にて獲得した接続情報に更新した後、本発明に係るアルゴリズムを終了する。
【００４６】
図９は、本発明の実施の形態に係る通信端末機におけるブックマークを介してウェブサイト接続情報を表す操作手順を示している。
【００４７】
前記図９に示すように、前記通信端末機は、ステップ９０１にてブックマークディスプレイイベントが発生しているか否かを検査する。例えば、前記通信端末機は、ウェブサイト別ブックマークを含む目録のうち、少なくとも一つの目録をディスプレイするためのイベントが発生するか否かを検査する。ここで、前記目録は、頻繁に接続する目録、ヒストリー目録、ブックマーク目録、お気に入り目録のうち、少なくとも一つを含む。ここで、前記目録に含まれた各々のブックマークは、ドラッグアンドドロップ操作を介して他の目録へ移動が可能であるはずである。
【００４８】
前記ブックマークディスプレイイベントが発生すると、前記通信端末機は、ステップ９０３に進んで該当目録に含まれたウェブサイト別ブックマークをディスプレイする。このとき、前記通信端末機は、ユーザ設定に応じて基本ウェブサイトを指定して、図１９に示すように、基本ウェブサイトは、ファビコンでないウェブサイトイメージでディスプレイし、残りのウェブサイトは、ブックマークとして設定されたファビコンでディスプレイできる。
【００４９】
以後、前記通信端末機は、ステップ９０５にて前記ディスプレイされたブックマークのうち、特定ブックマークに対するタッピング又はドラッグが発生するか否かを検査する。前記特定ブックマークに対するタッピング又はドラッグが発生するとき、前記通信端末機は、ステップ９０７に進んで前記特定ブックマークに対する詳細接続情報をディスプレイする。例えば、前記通信端末機は、図１５に示すように、複数のブックマークがディスプレイされた状態でユーザが特定ブックマークを軽くタッピング（ｔａｐｐｉｎｇ）するか、又は所定時間以上タッピングするか又はダブルタッピングする場合、ポップアップウィンドウを介して前記特定ブックマークにマッピングされたウェブサイト接続情報をディスプレイするように制御する。このとき、前記通信端末機は、前記ポップアップウィンドウを介して該当ウェブサイトに接続する際、ロードするデータ種類に関する環境設定が可能なようにすることができる。例えば、前記図１５に示すように、ＣＳＳ、ＪａｖａＳｃｒｉｐｔ及びイメージなどをロードするか否かを設定できるようにする。ここで、前記ポップアップウィンドウを介してディスプレイされる接続情報は、事業者又はユーザによって削除又は追加されることができる。また、前記通信端末機は、前記タッピング又はドラッグが発生する際、図１６に示すように、該当ブックマーク上段にロード時間又はロード速度を表す情報を表示するように制御でき、図１７に示すように、前記ステップ９０３のブックマークディスプレイの際、各々のブックマーク別にロード時間又はロード速度情報を表すようにすることもできる。ここで、前記ロード時間又はロード速度情報は、前記図１６及び図１７に示すように、ステップ別に区分して色相、模様、イメージなどを介して表すこともでき、数値で表すこともできる。例えば、前記ロード時間又はロード速度情報は、各々のブックマーク上にバッチ模様のアイコンを追加するか、又は前記背景色相を変更するか、又は該当ウェブサイト名の色相、文字スタイル、大きさなどを別にして表すことができる。
【００５０】
以後、前記通信端末機は、ステップ９０９にて特定ブックマークを選択するイベントが発生するか否かを検査する。例えば、前記特定ブックマークが所定時間以上タッチされるか否かを検査する。前記通信端末機は、前記特定ブックマークが選択されないと、前記ステップ９０５に戻って以下のステップを再度行い、前記特定ブックマークが選択されると、ステップ９１１にて前記ブックマークに対応するウェブページに接続し、本発明に係るアルゴリズムを終了する。
【００５１】
一方、前記ステップ９０５の検査結果、特定ブックマークに対するタッピング又はドラッグが発生しないと、前記通信端末機は、ステップ９１３に進んで画面拡大／縮小イベントが発生するか否かを検査する。ここで、前記画面拡大／縮小は、特定キー入力、ドラッグ又はユーザ操作を介して発生できる。ここで、前記画面拡大／縮小イベントが発生しないと、前記通信端末機は、前記ステップ９０５に戻って、以下のステップを再度行う。
【００５２】
反面、前記画面拡大／縮小イベントが発生すると、前記通信端末機は、ステップ９１５にて前記画面拡大／縮小程度に応じて、前記ブックマークを含む画面を拡大又は縮小させる。このとき、前記通信端末機は、前記拡大程度が臨界値以上であるとき、前記ブックマークとして設定されたファビコンの代わりに各々のブックマークに対応するウェブサイトのイメージをディスプレイするように制御する。このとき、前記ウェブサイトのイメージは、該当ウェブサイトの接続時に予め獲得したイメージでありうる。例えば、図１８に示すように、前記通信端末機は、画面拡大イベントが発生する際、拡大程度に応じてブックマークを含む画面を拡大させ、その後前記拡大程度が臨界値以上になると、前記ブックマークの代わりに前記ブックマークに対応するウェブサイトのイメージを含む画面をディスプレイ及び拡大する。このとき、前記ウェブサイトイメージを含む画面が拡大され続けて、最大臨界値に至ると、前記画面においてディスプレイ比重が最も大きなウェブサイトに接続するようにすることができる。
【００５３】
以後、前記端末は、本発明に係るアルゴリズムを終了する。
【００５４】
上述した本発明では、ファビコンをブックマークとして設定した後、イメージ効果を付与するか、又は接続情報をマッピングしたが、ファビコンを使用しないブックマークの場合にもイメージ効果を付与し接続情報をマッピングできる。また、ウェブサイトに対するブックマークでない一般アイコンの場合にも、イメージ効果を付与できるはずである。
【００５５】
本発明は、通信端末機におけるウェブサイト別に提供するファビコンをブックマークとして設定し、前記ブックマークにイメージ効果を付与して、前記ブックマークを介してウェブサイト接続情報を表すことによって、ユーザは、各々のブックマークが表すウェブサイトを容易に分かり、ユーザ個々人に対する満足度を高めることができ、該当ウェブサイトに対してより多くの情報を伝達できるという効果がある。
【００５６】
一方、本発明の詳細な説明では具体的な実施の形態について説明したが、本発明の範囲から逸脱しない範囲内で多様な変形が可能である。したがって、本発明の範囲は、上述の実施の形態に限って決まらず、特許請求の範囲だけでなく、特許請求の範囲と均等なものによって決まらねばならない。
【符号の説明】
【００５７】
７００    制御部
７０２    ブックマーク管理部
７１０    通信モジュール
７２０    表示部
７３０    入力部
７４０    保存部
７４２    ファビコン保存部
【図１】
2011123897.tif 000003
【図２】
2011123897.tif 000004
【図３】
2011123897.tif 000005
【図４】
2011123897.tif 000006
【図５】
2011123897.tif 000007
【図６】
2011123897.tif 000008
【図７】
2011123897.tif 000009
【図８】
2011123897.tif 000010
【図９】
2011123897.tif 000011
【図１０】
2011123897.tif 000012
【図１１】
2011123897.tif 000013
【図１２】
2011123897.tif 000014
【図１３】
2011123897.tif 000015
【図１４】
2011123897.tif 000016
【図１５】
2011123897.tif 000017
【図１６】
2011123897.tif 000018
【図１７】
2011123897.tif 000019
【図１８】
2011123897.tif 000020
【図１９】
2011123897.tif 000021